(57)【要約】【課題】抽出した飲料の品質を十分に高いものとすることができる飲料抽出装置を提供すること。【解決手段】コーヒー原料が投入された抽出容器２００に添加湯を供給することにより、抽出容器２００からコーヒー飲料を抽出する飲料抽出装置において、抽出容器２００に添加湯を供給する前に、コーヒー原料に対して蒸らし湯を供給する蒸らし湯供給手段４０を備えたものである。また、蒸らし湯供給手段４０は、蒸らし湯をシャワーとして供給することが好ましい。また、抽出容器２００は、粉末原料が投入される原料投入待機位置と、飲料を抽出する抽出位置との間を移動可能に設けられた原料受取部２０を有したものであり、原料受取部２０が原料投入待機位置にある場合に蒸らし湯を供給し、原料受取部２０が抽出位置にある場合に添加湯を供給することが好ましい。【選択図】      図２
2004159785.tif 000002
【特許請求の範囲】
【請求項１】
粉末原料が投入された抽出容器に添加湯を供給することにより、前記抽出容器から飲料を抽出する飲料抽出装置において、
前記抽出容器に添加湯を供給する前に、前記粉末原料に対して蒸らし湯を供給する蒸らし湯供給手段を備えたことを特徴とする飲料抽出装置。
【請求項２】
前記蒸らし湯供給手段は、前記蒸らし湯をシャワーとして供給することを特徴とする請求項１に記載の飲料抽出装置。
【請求項３】
前記抽出容器は、前記粉末原料が投入される原料投入待機位置と、飲料を抽出する抽出位置との間を移動可能に設けられた原料受取部を有したものであり、
前記原料受取部が原料投入待機位置にある場合に蒸らし湯を供給し、前記原料受取部が抽出位置にある場合に添加湯を供給することを特徴とする請求項１または請求項２に記載の飲料抽出装置。
【請求項４】
前記抽出容器は、その上部に孔部を有するとともに、この孔部を開閉するための弁体を有したものであり、
前記蒸らし湯供給手段は、前記弁体から前記粉末原料に対して蒸らし湯を供給することを特徴とする請求項１に記載の飲料抽出装置。
【請求項５】
粉末原料が投入された抽出容器に添加湯を供給することにより、前記抽出容器から該抽出容器の抽出口を通じて飲料を抽出する飲料抽出装置において、
飲料を抽出する場合に、前記抽出容器に投入された粉末原料を前記抽出口側に滞留させる滞留手段を備えたことを特徴とする飲料抽出装置。
【請求項６】
粉末原料が投入された抽出容器に添加湯を供給することにより、前記抽出容器から飲料を抽出する飲料抽出装置において、
前記抽出容器は、その上部に前記添加湯を供給するための供給口を有し、
前記供給口からの添加湯を分散させた状態で前記粉末原料に提供する分散提供手段を備えたことを特徴とする飲料抽出装置。
【発明の詳細な説明】
【０００１】
【発明の属する技術分野】
本発明は、粉末原料が投入された抽出容器に添加湯を供給することにより、該抽出容器から飲料を抽出する飲料抽出装置に関するものである。
【０００２】
【従来の技術】
従来、コーヒー飲料等の各種飲料を販売する自動販売機や飲料ディスペンサには、その内部に飲料抽出装置を備えたものがある。この種の飲料抽出装置としては、給湯通路、エア通路、抽出用フィルタおよび抽出通路を有した抽出容器を備えてなるものが一般的である。以下において、飲料抽出装置は、説明の便宜上、コーヒー飲料を抽出するコーヒー飲料抽出装置として説明する。
【０００３】
コーヒー飲料抽出装置では、抽出容器の内部に例えば挽き豆等のコーヒー原料が投入された後、給湯タンクから給湯通路を通じて抽出容器に添加湯を供給し（原材料の投入工程）、エアポンプからエア通路を通じてエアを送り込んでコーヒー原料と添加湯とを攪拌させ、攪拌終了後にこれらを自然放置する（攪拌・蒸らし工程）。その後、エアポンプから抽出容器の内部にエアを送り込んで該内部を加圧することにより、抽出用フィルタおよび抽出通路を通じてコーヒー飲料を抽出することになる（加圧抽出工程）。
【０００４】
【特許文献１】
特公平７−１０４９７９号公報（第３−４頁、第１図）
【特許文献２】
特開平５−８１５４４号公報（第３−４頁、第１図）
【特許文献３】
特公昭５６−３５２３４号公報（第２−４頁、第２図）
【特許文献４】
特公平５−３１４１３号公報（第２−３頁、第３図）
【０００５】
【発明が解決しようとする課題】
ところが、そのようなコーヒー飲料抽出装置では、攪拌後にコーヒー原料を添加湯に浸漬した状態で自然放置することにより該コーヒー原料を蒸らすようにしているにもかかわらず、加圧抽出工程において抽出したコーヒー飲料に苦味や渋味が多く含まれることになっており、喫茶店等で提供される香味が高いコーヒー飲料のような十分に高い品質を有するものを得ることは困難であった。
【０００６】
また、上記のコーヒー飲料抽出装置では、攪拌・蒸らし工程において、添加湯の上層部にコーヒー原料が浮遊してしまい、この浮遊してしまったコーヒー原料の一部が、加圧抽出工程後においても抽出容器の内壁に付着してしまうことになる。一回のコーヒー飲料の抽出で廃棄すべきはずのコーヒー原料がこのように抽出容器の内部に残留してしまうことは、衛生面で問題があるだけでなく、抽出したコーヒー飲料の品質を低下させる虞れがあり、このような観点からも十分に高い品質を有するコーヒー飲料を抽出することが困難であった。尚、これらの問題は、コーヒー飲料だけに限られず、他の飲料においても同様の問題があった。
【０００７】
本発明は、上記実情に鑑みて、抽出した飲料の品質を十分に高いものとすることができる飲料抽出装置を提供することを目的とする。
【０００８】
【課題を解決するための手段】
上記目的を達成するために、本発明の請求項１に係る飲料抽出装置は、粉末原料が投入された抽出容器に添加湯を供給することにより、前記抽出容器から飲料を抽出する飲料抽出装置において、前記抽出容器に添加湯を供給する前に、前記粉末原料に対して蒸らし湯を供給する蒸らし湯供給手段を備えたことを特徴とする。
【０００９】
また、本発明の請求項２に係る飲料抽出装置は、上記の請求項１において、前記蒸らし湯供給手段は、前記蒸らし湯をシャワーとして供給することを特徴とする。
【００１０】
また、本発明の請求項３に係る飲料抽出装置は、上記の請求項１または請求項２において、前記抽出容器は、前記粉末原料が投入される原料投入待機位置と、飲料を抽出する抽出位置との間を移動可能に設けられた原料受取部を有したものであり、前記原料受取部が原料投入待機位置にある場合に蒸らし湯を供給し、前記原料受取部が抽出位置にある場合に添加湯を供給することを特徴とする。
【００１１】
また、本発明の請求項４に係る飲料抽出装置は、上記の請求項１において、前記抽出容器は、その上部に孔部を有するとともに、この孔部を開閉するための弁体を有したものであり、前記蒸らし湯供給手段は、前記弁体から前記粉末原料に対して蒸らし湯を供給することを特徴とする。
【００１２】
また、本発明の請求項５に係る飲料抽出装置は、粉末原料が投入された抽出容器に添加湯を供給することにより、前記抽出容器から該抽出容器の抽出口を通じて飲料を抽出する飲料抽出装置において、飲料を抽出する場合に、前記抽出容器に投入された粉末原料を前記抽出口側に滞留させる滞留手段を備えたことを特徴とする。
【００１３】
また、本発明の請求項６に係る飲料抽出装置は、粉末原料が投入された抽出容器に添加湯を供給することにより、前記抽出容器から飲料を抽出する飲料抽出装置において、前記抽出容器は、その上部に前記添加湯を供給するための供給口を有し、前記供給口からの添加湯を分散させた状態で前記粉末原料に提供する分散提供手段を備えたことを特徴とする。
【００１４】
【発明の実施の形態】
以下に添付図面を参照して、本発明に係る飲料抽出装置の好適な実施の形態について詳細に説明する。
【００１５】
図１は、本発明の実施の形態に係る飲料抽出装置を備えたカップ式自動販売機を簡略して示した正面図である。この図１において、カップ式自動販売機１は、その正面の上部に商品を表示する商品表示板２が設けられているとともに、それぞれの商品に対応して販売ボタン３が設けられている。この商品表示板２の下方には、コイン投入口４およびコイン返却レバー５が設けられている。また、このカップ式自動販売機１の正面の下部には、商品販売口６およびつり銭等の返却口７が設けられている。そして、カップ式自動販売機１の内部には、次のような飲料抽出装置が収納されている。尚、以下において、飲料抽出装置は、説明の便宜上、コーヒー飲料を抽出するコーヒー飲料抽出装置として説明する。
【００１６】
図２は、図１におけるカップ式自動販売機の飲料抽出装置の構成を簡潔に示した正面図であり、図３は、図１におけるカップ式自動販売機の飲料抽出装置の構成を簡潔に示した側面図である。この図２および図３において、飲料抽出装置は、シュータ１０、抽出容器２００、フィルタブロック３０および蒸らし湯供給手段４０を有して構成されている。
【００１７】
シュータ１０は、上下方向に沿って延設されており、ミル１１で粉砕された挽き豆等のコーヒー原料（粉末原料）を原料受取部２０に投入するためのものである。このシュータ１０には、シュータタタキ１２が接した状態で配設されている。シュータタタキ１２は、タタキモータ１３を駆動源としてシュータ１０を振動させるものである。
【００１８】
抽出容器２００は、原料受取部２０と給湯部５０とにより構成されている。原料受取部２０は、円筒状の形態を有しており、その上端部には投入口２０ａが形成され、その下端部には抽出口２０ｂが形成されている。この原料受取部２０は、支持部材２３に支持されている。支持部材２３は、後述するスライド手段２１を構成するスライドブロック２２に取付けられている。ここで、スライド手段２１は、駆動源となるスライドモータ２４、スライドブロック２２およびスライドセンサ２３ａ、２３ｂを有して構成されており、原料受取部２０をシュータ１０の下方の原料投入位置から給湯部５０の下方の抽出位置までの間で往復移動させるものである。スライドブロック２２は、原料受取部２０およびフィルタブロック３０の取付けベースとなるものである。スライドセンサ２３ａ、２３ｂは二つあり、その一方は原料受取部２０が原料投入待機位置にあるか否かを検出するものであり、その他方は原料受取部２０が抽出位置にあるか否かを検出するものである。
【００１９】
給湯部５０は、その上部に貫通孔（孔部）５１が形成されるとともに、その下部が開口して給湯口５２が形成された容器である。この給湯部５０の上部側には、給湯管５３およびエア導入管５４が設けられており、それぞれが給湯部５０の内部に通じている。また、給湯部５０の内部には、該給湯部５０の上方に設置されたバルブモータ５５により上下方向に移動するバルブ５６が設けられている。バルブ５６は、それが上方向に移動した場合には、該給湯部５０の貫通孔５１を内側から塞ぐものであって、いわゆる栓として機能するものである。給湯管５３は、給湯通路を形成し、給湯タンクからの添加湯を給湯部５０の内部に供給するものであり、エア導入管５４は、エア通路を形成し、エアポンプ５７からのエアを給湯部５０の内部に供給するものである。
【００２０】
また、給湯部５０には、その下部の給湯口５２を覆うように滞留手段としての原料進入防止用フィルタ７０が設けられている。この原料進入防止用フィルタ７０は、液体およびガスに対して透過性を有する一方、コーヒー原料の透過を阻止するものである。尚、給湯部５０の給湯口５２には、原料受取部２０の投入口２０ａに装着された場合に水密性を確保するためのパッキン（図示せず）がある。
【００２１】
フィルタブロック３０は、原料受取部２０の下方に位置しており、上記のスライドブロック２２に取付けられた態様で支持され、かつ後述する昇降手段３１に支持されている。このフィルタブロック３０は、抽出用フィルタである紙フィルタ６０を介在させた状態で原料受取部２０から抽出したコーヒー飲料を、抽出通路（図示せず）を通じて所定の抽出用出口（図示せず）に送るものである。この抽出通路には、図示しないピンチ機構が設けられている。ピンチ機構は、その詳細は後述するが、抽出通路を一時的に遮断するものである。昇降手段３１は、駆動源となるリンクモータ３２、リンク機構３３およびリンクスイッチ（図示せず）を有して構成されており、フィルタブロック３０を上昇移動および下降移動させるものである。より詳細には、昇降手段３１は、フィルタブロック３０の高さを待機高さ、原料受取高さおよび抽出高さの三つの高さに上昇移動および下降移動させるものである。リンク機構３３は、リンクモータ３２による水平方向の往復運動を上下方向の往復運動（上昇運動および下降運動）に変えるものである。リンクスイッチは、フィルタブロック３０の高さを、上述の待機高さ、原料受取高さおよび抽出高さの三段階に調整する機能を有するものである。紙フィルタ６０は、長尺な帯状になっており、使用前にはフィルタブロック３０の下方にある紙巻きローラ６１に巻かれた状態で収納されており、使用後、すなわち抽出用フィルタとして使用された後には紙送りモータ６２が駆動することにより図３中の矢印方向に沿って搬送されるものである。
【００２２】
蒸らし湯供給手段４０は、図示しない給湯タンクからの湯を更にプレヒータ（図示せず）で加熱した後、蒸らし湯としてシャワーノズル４１から供給するものである。シャワーノズル４１は、原料投入待機位置にある原料受取部２０の上方に設けられている。このシャワーノズル４１は、その表面４２に微細な吐出孔（図示せず）が多数形成され、給湯タンクからの湯をシャワーのようにして吐出させるものである。
【００２３】
次に、上記のような構成を有する飲料抽出装置の動作について説明する。図４乃至図１２は、飲料抽出装置の動作を説明するために模式的に示した説明図である。カップ式自動販売機１の正面の販売ボタン３が押されていないときには、飲料抽出装置は、図４に示すように、待機状態となっている。この待機状態においては、原料受取部２０およびフィルタブロック３０は、原料投入待機位置にあり、しかもフィルタブロック３０は一番低い待機高さにある。
【００２４】
カップ式自動販売機１の販売ボタン３が押されると、飲料抽出装置では、図５に示すように、フィルタブロック３０が待機高さから原料受取高さまで上昇移動し、紙フィルタ６０で原料受取部２０の抽出口２０ｂを覆うようにして該原料受取部２０と当接する。その後、図６に示すように、ミル１１が粉砕したコーヒー原料がシュータ１０を通じて原料投入待機位置にある原料受取部２０の内部に投入される。この間、シュータタタキ１２でシュータ１０を振動させておくことが好ましい。これにより、シュータ１０の内壁にコーヒー原料が付着することを防止することができる。
【００２５】
原料受取部２０の内部にコーヒー原料が投入された後、給湯タンクからの所定量の湯（蒸らし湯）がシャワーノズル４１よりシャワーとなって吐出され、投入されたコーヒー原料にかけられる。このとき、フィルタブロック３０の抽出通路は、ピンチ機構により一時的に遮断される。そして、図７に示すように、スライド手段２１により原料受取部２０は抽出位置まで移動する。このときフィルタブロック３０もスライド手段２１により原料受取部２０とともに移動する。
【００２６】
原料受取部２０が抽出位置に到達した後、フィルタブロック３０は、図８に示すように、昇降手段３１により抽出高さまで上昇移動し、これに応じて原料受取部２０も上昇移動して、該原料受取部２０の投入口２０ａと給湯部５０の給湯口５２とが対応するよう該給湯部５０と接続する。このとき、上述の原料進入防止用フィルタ７０が投入口２０ａと給湯口５２との間に介在していることはいうまでもない。そして、給湯タンクからの所定量の添加湯が給湯通路（給湯管５３）を通じて給湯部５０の内部に供給される。給湯部５０の内部に供給された添加湯は、給湯口５２から原料進入防止用フィルタ７０を透過して投入口２０ａより原料受取部２０の内部に供給されることになる。従って、原料受取部２０の内部では、コーヒー原料と湯とが混合した状態となり、給湯部５０の内部では、コーヒー原料が原料進入防止用フィルタ７０を透過することができないため、添加湯成分のみが存在することになる。
【００２７】
そして、図９に示すように、バルブモータ５５を駆動させて給湯部５０内にあるバルブ５６を上方向に移動させて該給湯部５０の貫通孔５１を塞いで、給湯部５０および原料受取部２０を密閉状態にした後、エアポンプからのエアがエア通路（エア導入管５４）を通じて給湯部５０の内部に供給される。このとき、ピンチ機構により一時的に遮断されていたフィルタブロック３０の抽出通路は、開放される。そして、給湯部５０および原料受取部２０の内部の圧力が高くなり、コーヒー原料と添加湯とにより得られた煎じ液が抽出口２０ｂより紙フィルタ６０（抽出用フィルタ）を透過して抽出用出口からコーヒー飲料として飲料容器（図示せず）に所定量提供される。
【００２８】
飲料容器に所定量のコーヒー飲料を提供した後、図１０に示すように、バルブモータ５５を駆動させてバルブ５６を下方向に移動させて給湯部５０および原料受取部２０の密閉状態を解除する。そして、図１１に示すように、フィルタブロック３０を待機高さまで下降移動させるとともに、これに応じて原料受取部２０も下降移動させて、図１２に示すように、原料受取部２０は原料投入待機位置に移動し、フィルタブロック３０も原料受取部２０とともに移動する。その後、紙フィルタ６０は図中の矢印方向に沿って搬送されることになり、使用済みのコーヒー原料は廃棄されることになる。
【００２９】
以上のような飲料抽出装置によれば、原料受取部２０の内部にコーヒー原料が投入された後に、攪拌することなしに蒸らし湯供給手段４０が蒸らし湯を供給するので、コーヒー原料を十分にふくらませることができ、抽出するコーヒー飲料から苦味や渋味が少なくなり、該コーヒー飲料の品質を十分に高いものとすることができる。
【００３０】
また、蒸らし湯は、シャワーノズル４１を用いてシャワーとして供給されるので、供給される蒸らし湯の表面積を十分に大きくすることができ、必要最低限の量でコーヒー原料を十分に蒸らすことができる。
【００３１】
更に、給湯部５０と原料受取部２０との間には原料進入防止用フィルタ７０を介在させているので、コーヒー原料と添加湯とが混合した際に、コーヒー原料が給湯部５０の内部に進入することを防止することができる。これにより、コーヒー原料を原料受取部２０内にある添加湯の中で攪拌させることができ、かつ添加湯の上層部に浮遊するコーヒー原料が給湯部５０の内壁に付着する虞れがない。浮遊するコーヒー原料は原料受取部２０の内壁に付着する虞れがあるが、原料受取部２０は上端部および下端部が開口した円筒状の形態であるので、内壁に付着したコーヒー原料に水等を用いて容易に除去することができる。従って、コーヒー原料を原料受取部２０の添加湯の中で十分に攪拌させることができるので、抽出するコーヒー飲料の品質を十分に高いものとすることができるとともに、従来のように残存したコーヒー原料による衛生面の問題や抽出したコーヒー飲料の品質を阻害する問題を十分に防止することができる。また、コーヒー原料を原料受取部２０内にある添加湯の中で攪拌させることによっても該コーヒー原料を蒸らすことができ、この点からも抽出するコーヒー飲料の品質を十分に高いものとすることができる。
【００３２】
以上、本発明の好ましい実施の形態について説明したが、本発明はこれに限定されるものではなく、種々の変更を行うことができる。上述の実施の形態では、説明の便宜上、原料をコーヒー原料として説明したが、本発明では粉末原料を用いた種々の飲料の抽出に用いることができる。
【００３３】
図１３は、本発明の飲料抽出装置における変形例の構成を簡潔に示した側面図である。この図１３においては、上述の図２乃至図１２に示したような実施の形態に係る飲料抽出装置と同一の構成を有するものには同一の符号を付してその説明を省略する。本発明では、図１３に示すように、給湯部５０の上部の貫通孔５１を開閉する弁体としてシャワーノズル４１′を用いた構成としてもよい。このような構成によっても、投入されたコーヒー原料（粉末原料）を十分に蒸らすことができる。しかも、このような場合には、図示はしていないが、原料受取部と給湯部とが一体になった抽出容器を用いることもできる。
【００３４】
図１４は、本発明の飲料抽出装置における変形例を模式的に示した説明図である。この図１４においては、上述の図２乃至図１２に示したような実施の形態に係る飲料抽出装置と同一の構成を有するものには同一の符号を付してその説明を省略する。本発明では、図１４に示すように、給湯部５０の内部に分散提供手段としてのシャワー用フィルタ８０が設けられた構成としてもよい。このような構成においては、給湯タンクから給湯通路（給湯管５３）および給湯口（図示せず）を通じて供給された添加湯がシャワー用フィルタ８０を通過することにより、分散された状態で、すなわちシャワーとなった状態でコーヒー原料に提供されることになる。これにより、添加湯をコーヒー原料全体の表面に均一に供給することができる。従って、添加湯をコーヒー原料全体に対して満遍なく供給することができ、抽出するコーヒー飲料の品質を十分に高いものとすることができる。
【００３５】
【発明の効果】
以上説明したように、請求項１に記載の発明によれば、抽出容器に添加湯を供給する前に、蒸らし湯供給手段が抽出容器の内部に投入された粉末原料に蒸らし湯を供給するので、粉末原料を十分に蒸らすことができ、抽出する飲料の品質を十分に高いものとすることができる。
【００３６】
また、請求項２に記載の発明によれば、蒸らし湯をシャワーとして供給するので、該蒸らし湯の表面積を十分に大きくすることができ、必要最低限の量で粉末原料を十分に蒸らすことができる。
【００３７】
また、請求項３に記載の発明によっても、抽出容器に添加湯を供給する前に、蒸らし湯供給手段が抽出容器の内部に投入された粉末原料に蒸らし湯を供給するので、粉末原料を十分に蒸らすことができ、抽出する飲料の品質を十分に高いものとすることができる。
【００３８】
また、請求項４に記載の発明によっても、抽出容器に添加湯を供給する前に、蒸らし湯供給手段が抽出容器の内部に投入された粉末原料に蒸らし湯を供給するので、粉末原料を十分に蒸らすことができ、抽出する飲料の品質を十分に高いものとすることができる。
【００３９】
また、請求項５に記載の発明によれば、滞留手段が抽出容器に投入された粉末原料を抽出口側に滞留させるので、粉末原料を抽出容器内の添加湯の中で十分に攪拌させることができ、かつ飲料を抽出する際に添加湯の上層部に浮遊する粉末原料が残存してしまう虞れがない。また、粉末原料を抽出容器内の添加湯の中で攪拌することによって該粉末原料を十分に蒸らすこともできる。従って、抽出する飲料の品質を十分に高いものとすることができるとともに、従来のように残存した粉末原料による飲料の品質の低下を十分に防止することができる。
【００４０】
また、請求項６に記載の発明によれば、分散提供手段が供給口からの添加湯を分散させた状態で粉末原料に提供するので、添加湯を粉末原料全体の表面に対して均一に供給することができる。従って、添加湯を粉末原料全体に対して満遍なく供給することができ、抽出する飲料の品質を十分に高いものとすることができる。
【図面の簡単な説明】
【図１】本発明の実施の形態に係る飲料抽出装置を備えたカップ式自動販売機を簡略して示した正面図である。
【図２】図１におけるカップ式自動販売機の飲料抽出装置の構成を簡潔に示した正面図である。
【図３】図１におけるカップ式自動販売機の飲料抽出装置の構成を簡潔に示した側面図である。
【図４】飲料抽出装置の動作を説明するために模式的に示した説明図である。
【図５】飲料抽出装置の動作を説明するために模式的に示した説明図である。
【図６】飲料抽出装置の動作を説明するために模式的に示した説明図である。
【図７】飲料抽出装置の動作を説明するために模式的に示した説明図である。
【図８】飲料抽出装置の動作を説明するために模式的に示した説明図である。
【図９】飲料抽出装置の動作を説明するために模式的に示した説明図である。
【図１０】飲料抽出装置の動作を説明するために模式的に示した説明図である。
【図１１】飲料抽出装置の動作を説明するために模式的に示した説明図である。
【図１２】飲料抽出装置の動作を説明するために模式的に示した説明図である。
【図１３】本発明の飲料抽出装置の変形例における構成を簡潔に示した側面図である。
【図１４】本発明の飲料抽出装置の変形例を模式的に示した側面図である。
【符号の説明】
１        カップ式自動販売機
２        商品表示板
３        販売ボタン
４        コイン投入口
５        コイン返却レバー
６        商品販売口
７        返却口
１０      シュータ
１１      ミル
１２      シュータタタキ
１３      タタキモータ
２０      原料受取部
２０ａ    投入口
２０ｂ    抽出口
２１      スライド手段
２２      スライドブロック
２３      支持部材
２３ａ、２３ｂ      スライドセンサ
２４      スライドモータ
３０      フィルタブロック
３１      昇降手段
３２      リンクモータ
３３      リンク機構
４０      蒸らし湯供給手段
４１      シャワーノズル
４２      シャワーノズルの表面
５０      給湯部
５１      貫通孔
５２      給湯口
５３      給湯管
５４      エア導入管
５５      バルブモータ
５６      バルブ
６０      紙フィルタ
６１      紙巻きローラ
７０      原料進入防止用フィルタ
８０      シャワー用フィルタ
２００    抽出容器
【図１】
2004159785.tif 000003
【図２】
2004159785.tif 000004
【図３】
2004159785.tif 000005
【図４】
2004159785.tif 000006
【図５】
2004159785.tif 000007
【図６】
2004159785.tif 000008
【図７】
2004159785.tif 000009
【図８】
2004159785.tif 000010
【図９】
2004159785.tif 000011
【図１０】
2004159785.tif 000012
【図１１】
2004159785.tif 000013
【図１２】
2004159785.tif 000014
【図１３】
2004159785.tif 000015
【図１４】
2004159785.tif 000016